(57)【要約】【課題】ＲＦ−ＩＤ素子を利用する図書類の保管管理システムにおける図書情報検出の信頼性を向上し、管理の効率を上げる。【解決手段】半導体ＩＣチップとアンテナを含むＲＦ−ＩＤ素子と通信して前記半導体ＩＣチップに記録された情報を非接触で読み取る読取装置と、前記読取装置からの信号に基づき図書類の検出処理を行う処理装置とを備え、前記読取装置は、前記ＲＦ−ＩＤ素子と通信するための第１のアンテナ及び第２のアンテナと、前記ＲＦ−ＩＤ素子に記録された情報の読み取りを行う送受信部と、前記第１のアンテナ又は前記第２のアンテナの少なくともいずれかを前記送受信部に接続するアンテナ切換部を備える。【選択図】　　　　図１
2004080739.tif 000002
【特許請求の範囲】
【請求項１】
半導体ＩＣチップとアンテナを含むＲＦ−ＩＤ素子と通信して前記半導体ＩＣチップに記録された情報を非接触で読み取る読取装置と、前記読取装置からの信号に基づき図書類の検出処理を行う処理装置とを備え、前記ＲＦ−ＩＤ素子は図書類に貼付されるとともに貼付された図書の情報が記録され、前記図書類は書架に収納されている図書類の保管管理システムにおいて、
前記読取装置は、前記ＲＦ−ＩＤ素子と通信するための第１のアンテナ及び第２のアンテナと、前記ＲＦ−ＩＤ素子に記録された情報の読み取りを行う送受信部と、前記第１のアンテナ又は前記第２のアンテナの少なくともいずれかを前記送受信部に接続するアンテナ切換部を備え、
前記読取装置の少なくともその一部は検出対象である図書類の間に挿入可能に構成され、前記第１のアンテナは前記図書類の間に挿入される前記読取装置の先端部に設けられ、前記第２のアンテナは前記先端部以外の前記読取装置の本体あるいはその周囲に設けられていることを特徴とする図書類の保管管理システム。
【請求項２】
前記アンテナ切換部は、前記第１のアンテナが検出対象である図書類の間に挿入されている期間において前記第１のアンテナと前記第２のアンテナのいずれも選択されるように所定間隔でアンテナを切り換えることを特徴とする請求項１記載の図書類の保管管理システム。
【請求項３】
前記アンテナ切換部は、前記第１のアンテナが検出対象である図書類の間に挿入されたことを示す信号を受けて前記第１のアンテナを選択し、所定時間経過後に前記第２のアンテナを選択することを特徴とする請求項１記載の図書類の保管管理システム。
【請求項４】
前記アンテナ切換部は、アンテナ切換信号を受けてこれに基づき動作し、
前記アンテナ切換信号は、前記読取装置に設けられたアンテナ切換スイッチから送られることを特徴とする請求項１記載の図書類の保管管理システム。
【請求項５】
前記アンテナ切換部は、アンテナ切換信号を受けこれに基づき動作し、
前記アンテナ切換信号は、読み取りエラーが所定数より多いときに発生されることを特徴とする請求項１記載の図書類の保管管理システム。
【請求項６】
前記アンテナ切換部は、アンテナ切換信号を受けこれに基づき動作し、
前記アンテナ切換信号は、読み取られた図書類の数が予め与えられた図書類の冊数よりも少ないときに発生されることを特徴とする請求項１記載の図書類の保管管理システム。
【請求項７】
前記アンテナ切換部は、アンテナ切換信号を受けこれに基づき動作し、
前記アンテナ切換信号は、前記第２のアンテナの受信レベルが高いときに発生されることを特徴とする請求項１記載の図書類の保管管理システム。
【請求項８】
前記第２のアンテナは、前記先端部と交差するように設けられることを特徴とする請求項１記載の図書類の保管管理システム。
【請求項９】
前記読取装置は、さらに、通信状態又は読み取り冊数などの蔵書点検作業の補助情報を表示する表示部を備えることを特徴とする請求項１乃至請求項８いずれかに記載の図書類の保管管理システム。
【請求項１０】
さらに、検出しようとする書架に収納されている図書類の範囲を区分するために図書類の間に挿入される遮蔽板とを備え、
前記読取装置は、前記遮蔽板により区分された前記図書類の範囲内に挿入され、前記図書類に貼付された前記ＲＦ−ＩＤ素子と通信して記録されている情報を読み取り、当該情報を前記処理装置へ送ることを特徴とする請求項１乃至請求項８いずれかに記載の図書類の保管管理システム。
【発明の詳細な説明】
【０００１】
【発明の属する技術分野】
本発明は、図書館や図書室の蔵書である図書類や、あるいはこれら図書館等以外の分野で何らかのレンタル又は販売目的などで取り扱うべく保管してある図書類について、それらの貸し出し管理、蔵書管理、在庫管理等の保管管理やそれら図書類の検索を行うために用いられる図書類の保管管理システムに関する。
【０００２】
【従来の技術】
従来、図書館や図書室における蔵書、資料などの管理のために、図書類の調査・検索を目的とした索引集や目録カード、あるいは貸出台帳等を用いていた。現在でも多くの学校等でこの従来の貸出管理方法が継続されている。
図書類管理の合理化を目的として、バーコード式（光学式コード読み取り）ならびにＯＣＲ（光学式文字認識）式の図書類の保管管理システムが多くの図書館で導入されている。このシステムによれば大幅な省力化・確実化が可能になるが、図書類を一冊一冊づつスキャナで読み取らなければならず、複数の図書類の情報を一度に読み取ることができず手間がかかる。読み取りの際にスキャナでバーコード上を正しくなぞるようにしなければならず、さもないと読み取りエラーが生じるという問題もある。ＯＣＲの場合、読み取りに時間がかかるという問題もある。
【０００３】
上記のような問題点を解消し、近年、図書類管理のさらなる合理化を目的として、図１２及び図１３に示すように、図書類Ｂに図書の情報を記録・登録したＲＦ−ＩＤ素子Ｔを貼付し、ＲＦ−ＩＤ読取装置（ポータブルスキャナ）１でＲＦ−ＩＤ素子Ｔの半導体ＩＣチップに記録された登録番号等の情報を読み取ることが行われている。
【０００４】
【発明が解決しようとする課題】
従来のシステム／方法を実際に使用するときに、しばしば一部のＲＦ−ＩＤ素子Ｔの情報を読み取れないといった事態が生じる。例えば、図１３において左端にあり、書架ＢＳの側板に接している図書類ＢのＲＦ−ＩＤ素子Ｔの情報を読み取れないことがある。ポータブルスキャナ１の内蔵アンテナとＲＦ−ＩＤ素子のアンテナが電磁的と結合することにより、ＲＦ−ＩＤ素子に電力を供給するとともに通信を行うのであるが、アンテナ相互の位置関係やアンテナの置かれる状況（例えば金属板である書架ＢＳの側板に接している状態）によっては電磁的な結合が良好に行われないことがあるためである。
【０００５】
複数の図書類Ｂのうちいずれかひとつでもその情報を読み取れないときは、どの図書類の情報が読めなかったかを手作業でいちいち確認しなければならず、大変な手間がかかっていた。これではＲＦ−ＩＤ素子を導入して管理の合理化を図る意味がない。
【０００６】
この発明は係る課題を解決するためになされたもので、ＲＦ−ＩＤ素子を利用する図書類の保管管理システムにおける図書情報検出の信頼性を向上し、管理の効率を上げることのできる図書類の保管管理システムを提供することを目的とする。
【０００７】
【課題を解決するための手段】
この発明に係る図書類の保管管理システムは、半導体ＩＣチップとアンテナを含むＲＦ−ＩＤ素子と通信して前記半導体ＩＣチップに記録された情報を非接触で読み取る読取装置と、前記読取装置からの信号に基づき図書類の検出処理を行う処理装置とを備え、前記ＲＦ−ＩＤ素子は図書類に貼付されるとともに貼付された図書の情報が記録され、前記図書類は書架に収納されている図書類の保管管理システムにおいて、
前記読取装置は、前記ＲＦ−ＩＤ素子と通信するための第１のアンテナ及び第２のアンテナと、前記ＲＦ−ＩＤ素子に記録された情報の読み取りを行う送受信部と、前記第１のアンテナ又は前記第２のアンテナの少なくともいずれかを前記送受信部に接続するアンテナ切換部を備え、
前記読取装置の少なくともその一部は検出対象である図書類の間に挿入可能に構成され、前記第１のアンテナは前記図書類の間に挿入される前記読取装置の先端部に設けられ、前記第２のアンテナは前記先端部以外の前記読取装置の本体あるいはその周囲に設けられていることを特徴とするものである。
【０００８】
好ましくは、前記アンテナ切換部は、前記第１のアンテナが検出対象である図書類の間に挿入されている期間において前記第１のアンテナと前記第２のアンテナのいずれも選択されるように所定間隔でアンテナを切り換える。
【０００９】
好ましくは、前記アンテナ切換部は、前記第１のアンテナが検出対象である図書類の間に挿入されたことを示す信号を受けて前記第１のアンテナを選択し、所定時間経過後に前記第２のアンテナを選択する。
【００１０】
前記アンテナ切換部は、アンテナ切換信号を受けてこれに基づき動作し、
前記アンテナ切換信号は、前記読取装置に設けられたアンテナ切換スイッチから送られるようにしてもよい。
【００１１】
前記アンテナ切換部は、アンテナ切換信号を受けこれに基づき動作し、
前記アンテナ切換信号は、読み取りエラーが所定数より多いときに発生するようにしてもよい。
【００１２】
前記アンテナ切換部は、アンテナ切換信号を受けこれに基づき動作し、
前記アンテナ切換信号は、読み取られた図書類の数が予め与えられた図書類の冊数よりも少ないときに発生するようにしてもよい。
【００１３】
前記アンテナ切換部は、アンテナ切換信号を受けこれに基づき動作し、
前記アンテナ切換信号は、前記第２のアンテナの受信レベルが高いときに発生するようにしてもよい。
【００１４】
好ましくは、前記第２のアンテナは、前記先端部と交差するように設けられる。
【００１５】
前記読取装置は、さらに、通信状態又は読み取り冊数などの蔵書点検作業の補助情報を表示する表示部を備えてもよい。
【００１６】
好ましくは、さらに、検出しようとする書架に収納されている図書類の範囲を区分するために図書類の間に挿入される遮蔽板とを備え、
前記読取装置は、前記遮蔽板により区分された前記図書類の範囲内に挿入され、前記図書類に貼付された前記ＲＦ−ＩＤ素子と通信して記録されている情報を読み取り、当該情報を前記処理装置へ送る。
【００１７】
【発明の実施の形態】
発明の実施の形態１．
発明の実施の形態１に係る方法／装置について図面を参照して説明を加える。図１は発明の実施の形態１に係る図書類の保管管理システムの使用方法を示すフローチャートである。本方法は、遮蔽板Ｓを用意し（Ｓ１１）、遮蔽板Ｓで読み取り範囲を限定する（Ｓ１２）ことに特徴がある。遮蔽板Ｓは、ひとつの段の端の書籍Ｂの情報を読み取るとき、書架の側板と書籍Ｂの間に挿入することが望ましい（図５（ｂ）参照）。図１の手順については後に詳述する。
【００１８】
図２は図書類の保管管理システムの一実施例を示すブロック図である。以下の説明において、図書館（あるいは図書室）における図書の管理を例にとり説明する。
【００１９】
図２に示すように、図書類の保管管理システムは、図書Ｂに貼り付けられたＲＦ−ＩＤ素子（タグ）Ｔ（図１２参照）から情報を読み取るＲＦ−ＩＤ読取装置（ポータブルスキャナ）１と、ポータブルスキャナ１から信号を受けて書籍検出処理を行う書籍検出処理部（ノートパソコン）２と、全体の蔵書管理を行うための蔵書管理システムサーバ３とを備える。
【００２０】
ポータブルスキャナ１は、ＲＦ−ＩＤ素子Ｔに内蔵された図示しない半導体ＩＣチップに記録された情報の読み取りを行うための送受信部１２と、ＲＦ−ＩＤ素子Ｔと交信するためのアンテナ１１とを備えるとともに、ＲＦ−ＩＤ素子Ｔとの交信状態を表示する表示部１３を備える。アンテナ１１は、例えば巻線コイルにより形成される。アンテナの軽量化・シンプル化を計るために、アンテナ１１をメタルプリントによる印刷コイル形状にすることもできる。フィルム自体にアンテナを印刷することにより、プリント基板よりも薄く加工することができる。アンテナ１１の収納部は誘導磁界の通過に影響を与えない物質、例えば樹脂等より構成される。送受信部１２は、アンテナ１１をコントロールして書架ＢＳのひとつの棚段を順次スキャンして、目的のＲＦ−ＩＤ素子Ｔを探し出すように動作する。表示部１３は、例えばＲＦ−ＩＤ素子Ｔと通信を行っているときに点灯する。
【００２１】
ＲＦ−ＩＤ素子Ｔとポータブルスキャナ１の非接触情報伝達手法として、誘導磁界結合方式とマイクロ波等の電波による結合方式によるものがあるが、本発明の実施の形態において前者が用いられる。
【００２２】
ポータブルスキャナが書籍Ｂの間に挿入され、書籍Ｂに貼付されたＲＦ−ＩＤ素子Ｔと通信可能になると、送受信部１２はＲＦ−ＩＤ素子Ｔと通信を行うとともに、得た情報をノートパソコン２へ送る。通信状態のとき、表示部１３は点滅する。ポータブルスキャナ１の読み取り範囲はそれほど広くなく（数十ｃｍ程度）、ポータブルスキャナ１が挿入された段の書籍ＢのＲＦ−ＩＤ素子Ｔと通信できるが、他の段のＲＦ−ＩＤ素子Ｔと通信できない。また、後述の遮蔽板Ｓの外側のＲＦ−ＩＤ素子Ｔとも通信できない。したがって、ポータブルスキャナ１は、書架のひとつの段の書籍のうち遮蔽板Ｓで区切られた一部の書籍Ｂの情報を取得する。ポータブルスキャナ１のこのような性質により、書架の段ごとの蔵書管理（段ごとに置かれている図書をリストアップする、図書が正しい位置に置かれているかどうか判定する、など）を容易に行うことができる。
【００２３】
書籍検出処理部（ノートパソコン）２は、ポータブルスキャナ１から信号を受けて、検出された図書の情報を表示・記憶するとともに、その検出結果をサーバ３へ送る。図書の情報は、例えば、図書類名，著者名，出版社名，ＩＳＢＮコードと図書館における管理コードである分類番号等の図書類情報や、書架の配架情報や図書類のキーワード等である。
【００２４】
書籍検出処理部２は、ＬＡＮ制御装置を介して蔵書管理システムのサーバコンピュータ３と接続されている。ＬＡＮは有線方式または無線方式でも可能である。サーバ３は図書類の点検や検索、貸し出し処理などを行う。
【００２５】
本システムにおいて、ＩＣチップとアンテナとで構成された非接触伝達機構であるＲＦ−ＩＤ素子を図書類の表紙裏に貼付することで、保管図書類の検索や点検作業の合理化を図っている。非接触伝達機構は、半導体ＩＣチップに接続されたアンテナを伝達素子としてＲＦ−ＩＤの読取装置から空中に輻射された電磁エネルギーを吸収して非接触に電力の受給と信号の送受信を行う。このようにすることで、短時間で図書類の所在を確実に検出できる。
【００２６】
ＲＦ−ＩＤ素子は図書類購入時に図書類の表紙裏に貼着される（図１２参照）。この時、図書類データを記録するＲＦ−ＩＤ素子に内蔵されたメモリ領域にデータは存在せず、白紙状態である。
【００２７】
新しい図書類の登録は例えば次のように行う。サーバ３の端末の操作入力部から図書類登録プログラムを起動して、図書類名，著者名，出版社名，ＩＳＢＮコード，バーコード，発行年月日，登録年月日等の入力と図書館における管理コードである分類番号の入力を行い、新しい図書類を図示しない図書類データベースに追加登録する。そして、ＲＦ−ＩＤ素子Ｔのメモリに図書類固有の分類コードを図示しないＲＦ−ＩＤ読み書き装置によって記録する。
【００２８】
図書Ｂの分類コードの一部（例えば、辞書であるとか、機械工学、電気工学といった特定の技術分野を示す、などに相当するコード）が書架コードに対応づけられており、登録処理された図書Ｂは、該当する書架ＢＳに収納される。書架ＢＳは通常のラック構造である。
【００２９】
図３はポータブルスキャナ１の外観を示す斜視図である。１ａはスキャナ１の本体であり、この部分を手で保持して作業を行う。本体１ａには送受信部１２が収納されているとともに、手前の見やすい部分に表示部１３が設けられている。１ｂはスキャナ１の先端部であり、ここにアンテナ１１が収納されている。先端部１ｂは樹脂製で薄くできていて、書籍Ｂの間に容易に挿入できる（図１２参照）。
【００３０】
図４は発明の実施の形態１に係る遮蔽板Ｓを説明図である。同図（ａ）は斜視図、同図（ｂ）（ｃ）は正面図を示す。遮蔽板Ｓは上下反転して使用可能であり、その正面図は（ｂ）（ｃ）のいずれにもなる。遮蔽板Ｓは、金属板である第１の板Ｓ１と、これと貼り付けられた、フェライト、アモルファス材料及びプラスチックのうちの少なくともいずれかである第２の板Ｓ２を備える。第１の板Ｓ１は書籍Ｂの大きさと同等か、あるいはそれよりもやや大きい。書籍Ｂの間に遮蔽板Ｓを抜き差しするためには、後者のようにやや大きめのほうが好ましい。第２の板Ｓ２は書籍Ｂに貼付されているＲＦ−ＩＤ素子Ｔを確実に覆える大きさであることが好ましい。もっとも、第１の板Ｓ１と第２の板Ｓ２の大きさは同じであってもよい。第１の板Ｓ１はアンテナ１１とＲＦ−ＩＤ素子Ｔの磁界の結合を妨げて遮蔽板Ｓより遠方のＲＦ−ＩＤ素子Ｔを検出しないようにするためのものであり、第２の板Ｓ２は、遮蔽板Ｓと接している書籍ＢのＲＦ−ＩＤ素子Ｔを第１の板Ｓ１から離隔し、アンテナ１１とＲＦ−ＩＤ素子Ｔの磁界の結合を確実にするためのものである。仮に第２の板Ｓ２がないとすると、ＲＦ−ＩＤ素子Ｔが金属板である第１の板Ｓ１に接する。この場合、金属板の影響によりアンテナ１１とＲＦ−ＩＤ素子Ｔの磁界の結合が妨げられ、その読み取りに支障が生じる。
【００３１】
遮蔽板Ｓ（特に第１の板Ｓ１）は、非接触ＩＣチップ（ＲＦ−ＩＤ）の電磁波を遮蔽することにより読み取り範囲を絞り込むためのものである。電磁波を遮蔽する素材として、鉄／アルミなどの金属板がある。さらに、遮蔽板Ｓ（特に第２の板Ｓ２）は、透磁率の高い素材（鉄などの電磁波の遮蔽機能を備える素材）が近接する場合、非接触ＩＣチップに十分な磁束が結べないためＩＣチップが応答できなくなることを防止するためのものである。この現象は金属製書架の棚端（側板）に接している書籍の非接触ＩＣチップにおいても生じる。これを避けるためには、金属板と非接触ＩＣチップの間に十分な磁束を保つための空間が必要となる。必要とされる空間を特定の素材を用いることにより、当該空間を小さなものとすることが可能である。好ましくは、第２の板Ｓ２が検出しようとする図書類側（ポータルブルスキャナ１側）に向けられる。これが反対であると第１の板Ｓ１で電磁波が遮蔽されるのでＲＦ−ＩＤ素子の読み取りは困難になる。
【００３２】
第２の板Ｓ２の素材として以下の素材を評価した。
（１）空気
（２）スチロール
（３）フェライト（着磁／消磁）
（４）アモルファス
（１）（２）に比べ、（３）（４）では必要な空間が縮まることを確認した。いずれの場合も金属面と非接触ＩＣチップの間隔を３．５ｍｍ以上必要とする。適切な素材を選択すれば、この距離を縮めることができると思われる。フェライト構成品である電子吸着ゴムシートの磁性粉組成ならびに充填量を調整することにより０．５ｍｍ厚の評価を行った。フェライトでは端面に磁束が集中するが、フェライトの中心／端面での差異は見うけられない。一方、フェライトが非接触ＩＣチップのアンテナより小さい場合、隙間を広く取らなければならない。特定の素材は、非接触ＩＣチップのアンテナ面が十分に被るサイズの貼付が必要である。フェライトについては、着磁（ゴム磁石マット）した場合でも、常磁石の磁束が電磁波を妨げない。
【００３３】
遮蔽板Ｓの素材として、他に、電磁波反射吸収用の電磁波吸収シートを用いることができる。この素材は例えば有料道路自動料金支払いシステムにおいて不要な反射を抑制するために用いられるものであって、電磁波の透過吸収はしないがその反射は効率良く吸収するものである。これを用いた遮蔽板Ｓの例を図４（ｄ）に示す。
【００３４】
図４（ｄ）において、Ｓ３はマグネット（ゴム）、Ｓ４は電磁波吸収シート、Ｓ５はカラーフィルムである。マグネットＳ３は遮蔽板Ｓを書棚の側板やブックエンドに吸着させるためのものである。電磁波吸収シートＳ４は０．３ｍｍ程度の厚みをもち、電磁波の反射を吸収するものである。カラーフィルムＳ５は遮蔽板Ｓの見栄えをよくするためのものである。図４（ｄ）の遮蔽板Ｓによれば、電磁波の不要な反射を抑制できるのでスキャナは正しくＲＦ−ＩＤ素子を読み取ることができる。図４（ｄ）の遮蔽板Ｓには、電磁波吸収シートＳ４は透過吸収しないので、スキャナが電波吸収シートＳ４の向こう側のＲＦ−ＩＤ素子も読んでしまうという問題があるが、実際には、遮蔽板ＳはマグネットＳ３により書棚の側板やブックエンドに吸着した状態で使用され、鉄製の側板やブックエンドが電磁波を透過吸収するので問題は生じない。
【００３５】
書籍の間に遮蔽板Ｓを挿入した状態で使用するためには、遮蔽板Ｓを図４（ｅ）のような積層構造とすればよい。Ｓ７は樹脂基板（ガラスエポキシ基板など）でありＳ６はその表面に塗布された導電性塗料である。図４（ｅ）の遮蔽板Ｓは、Ｓ６，Ｓ７を電磁波吸収シートＳ４で挟み込んだものである。Ｓ６，Ｓ７は第１の板Ｓ１と同様の機能を果たす。基板Ｓ７に導電性塗料Ｓ６を塗布したのは主に軽量化のためである（電磁波吸収シートは前記材料に比べて重いのでこのようにすることが好ましい）。Ｓ６，Ｓ７は金属板であってもよい。なお、電磁波吸収シートＳ４はＳ６，Ｓ７の一方の面のみに設けてもよい。
【００３６】
次に、図１のフローチャートを参照して発明の実施の形態１に係る図書類の保管管理システムの使用方法を説明する。
【００３７】
まず、準備として蔵書点検（棚卸）を行う範囲（書架のひとつの段）の図書の冊数をカウントする。実際の図書の数とノートパソコン２に表示された数とが一致していれば検出処理が正しく行われたと判定できる。
【００３８】
Ｓ１：図４に示した遮蔽板を用意する。
書籍Ｂの読み取る範囲を限定する場合には、図５（ａ）のように２枚の遮蔽板Ｓを用意する。金属製の書架ＢＳの側面に接している図書Ｂの情報を正しく読むために遮蔽板Ｓを用いる場合には、図５（ｂ）のように１枚の遮蔽板Ｓで足りる。
【００３９】
Ｓ２：読み取り範囲を限定するために、図５（ａ）のように２枚の遮蔽板Ｓで書架の複数の書籍を挟む。
非接触ＩＣのアンテナ面と金属板が密着して設置される場合、金属板の透磁率により非接触ＩＣが応答することができない。樹脂製の遮蔽板であってもその背面に金属が近接した場合、同様の現象が見られる。特定電磁波を遮蔽（あるいは反射）する加工を施した遮蔽板Ｓを用いることにより、２枚の遮蔽板Ｓで挟んだ読み取り対象の書籍Ｂのデータのみを収集することができる。
【００４０】
なお、金属製の書架ＢＳの側面に接している図書Ｂの情報を正しく読むために遮蔽板を用いる場合には、図５（ｂ）のように書架ＢＳと図書Ｂの間に遮蔽板Ｓを挿入する。
【００４１】
Ｓ３：ポータブルスキャナ１を図５（ａ）のように遮蔽板Ｓ間の書籍Ｂの任意の位置に挿入する。あるいは、図５（ｂ）のように書籍Ｂの端に置く。
【００４２】
Ｓ４：スキャナがタグ（ＲＦ−ＩＤ素子）と通信する（タグの読み取り）。
図５（ａ）の場合、スキャナ１は２枚の遮蔽板で区切られた範囲の書籍ＢのＲＦ−ＩＤ素子と通信を行い、図５（ｂ）の場合、遮蔽板Ｓとスキャナ１の間の書籍ｂのＲＦ−ＩＤ素子と通信を行う。
【００４３】
Ｓ５：読み取り信号をノートパソコン２へ出力する。
【００４４】
Ｓ６：ノートパソコン２で書籍検出処理を行う。
ノートパソコン２は、例えば、図書類名，著者名，出版社名，ＩＳＢＮコードと図書館における管理コードである分類番号等の図書類情報や、書架の配架情報や図書類のキーワード等を検出・表示して、これらの情報をサーバ３へ送る。
【００４５】
本発明の実施の形態の方法／装置によれば、次のような効果を奏する。
・専用遮蔽板を用いて小さな単位処理冊数ごとに蔵書の有無を確認することができる。
・処理範囲を小さくすることにより非接触ＩＣの動作確認が行い易く、破損した非接触ＩＣを容易に特定できる。
・遮蔽板の表裏に特定の素材を貼付することにより、ぎっしりと配架された図書を出し入れすることなく情報を集めることができる。遮蔽板を用いずに特定の範囲を限定して書籍の情報を読み取ろうとする場合、その範囲の書籍を手前に引き出さなければならなかった（手前に引き出すことによりＲＦ−ＩＤ素子の位置をずらし、引き出された書籍にスキャナを挿入したときに、アンテナが手前の位置のＲＦ−ＩＤ素子と結合しても、奥の位置のＲＦ−ＩＤ素子とスキャナのアンテナが結合することを妨げる）。
・閉架書架は金属製書架を利用することが多いが、この場合も遮蔽板を図５（ｂ）のように挿入することにより、棚幅を犠牲にすることなく非接触ＩＣチップの情報を収集できる。なお、棚端に遮蔽板Ｓの第２の板Ｓ２と同様の材質のものを貼付するようにしてもよい。
・第２の板Ｓ２として磁石マットを用いればその加工は容易であり、棚の高さを変えた場合でも容易に張り替えることができる。
・特定の範囲で読み取った情報が先に調べた冊数と異なる場合、読み取り範囲を絞ることにより非接触ＩＣチップの情報を読み取れない図書を特定することができる。
【００４６】
発明の実施の形態２．
発明の実施の形態１は、遮蔽板Ｓを用いることによりＲＦ−ＩＤ素子を利用する図書類の保管管理システムにおける図書情報検出の信頼性を向上し、管理の効率を上げるものであった。遮蔽板Ｓとともにあるいはこれに代えてポータブルスキャナ１に複数のアンテナを設けることによりＲＦ−ＩＤ素子を利用する図書類の保管管理システムにおける図書情報検出の信頼性を向上し、管理の効率を上げることができる。以下、この手法について説明する。
【００４７】
図６は発明の実施の形態２に係る図書類の保管管理システムを示すブロック図である。図中、図２と同じあるいは同等の要素について同じ符号を付してある。図６のシステムは、ポータブルスキャナ１に複数のアンテナ１１ａ，１１ｂ（図６では２つであるがこれに限定されない。３つ、４つ、・・・であってもよい）と、アンテナ切換部１４とを備えるものである。アンテナ切換部１４はアンテナ１１ａ又は１１ｂのいずれか一方を送受信部１２に接続する。送受信部１２以下の動作は発明の実施の形態１の場合と同様である。
【００４８】
図７は発明の実施の形態２に係るポータブルスキャナ１の斜視図である。このポータブルスキャナ１は先端部１ｂにアンテナ１１ａを備えるとともに、本体１ａにアンテナ１１ｂを備える。ポータブルスキャナ１の先端部１ｂが図書類Ｂの間に挿入されたとき、アンテナ１１ａは図書類Ｂの間においてＲＦ−ＩＤ素子と通信を行い、アンテナ１１ｂはその外でＲＦ−ＩＤ素子と通信を行う。挿入状態においてアンテナ１１ａは近くのＲＦ−ＩＤ素子と通信できるが、比較的遠い（例えば遮蔽板Ｓの付近）のＲＦ−ＩＤ素子と通信できないこともまれにある。このような場合、図書類Ｂの外側に位置するアンテナ１１ｂにより当該比較的遠いＲＦ−ＩＤ素子と通信し、その情報を取得できる。
【００４９】
ひとつのアンテナの場合、すなわちアンテナ１１ａのみでは一部のＲＦ−ＩＤ素子を読み取れない理由として次のようなことが推測される。
図書に貼付されるタグの特性は、図書ごとに異なる誘電率／透磁率に左右される。このように応答特性が異なるためスキャナのアンテナとＲＦ−ＩＤ素子のアンテナが近接した場合に読み取りが良くなる組み合わせと、離れていたほうが良くなる組み合わせが存在する。アンテナ１１ａのみでは一部のＲＦ−ＩＤ素子の読み取りは良好であるが、他のＲＦ−ＩＤ素子の読み取りが不良であるという状況が生じる。このような状況を、複数のアンテナを用いることにより解決することができる。全てのＲＦ−ＩＤ素子はいずれかのアンテナで読み取られるようになる。
アンテナをＲＦ−ＩＤ素子に近づけるだけで自動的に読み取りを行う。アンテナが図書類Ｂの間に挿入されているときのみ読み取りが行われるわけではない。つまりポータブルスキャナ１の（１）挿入準備段階（スキャナの向きを整える段階とともに挿入中の段階を含む）と（２）挿入された段階の両方で読み取りが行われる。このように２つの段階で読み取りを行うときは全部の図書類のＲＦ−ＩＤを読み取ることができると思われる。ところが、作業者によってはスキャナ１を手早く挿入するため（１）の段階が極めて短く、そのためこの段階でＲＦ−ＩＤを読み取ることができない。一方、（２）の段階ではアンテナとの位置関係により一部のＲＦ−ＩＤを読み取れないことがある。したがって一部のＲＦ−ＩＤを読み取れないと思われる。
【００５０】
上記のようなことを避けるために、スキャナの向きを整えた段階でその状態をしばらく保持したり、スキャナの挿入をゆっくりおこなうように作業手順を厳しく定めることが考えられるが、これは作業者に負担をかけることになり好ましくない。そこで本発明の実施の形態２では、通常のアンテナ１１ａ（（２）用）に加えて、（１）用のアンテナ１１ｂを備え、これらを適宜切り換えることにより上記不具合を解消した。
【００５１】
次に、図８のタイミングチャートを用いてアンテナ切換動作について説明する。
最上段のタイミングチャートに示すように、ポータブルスキャナ１でＲＦ−ＩＤ素子を読み取る場合、まず、スキャナの先端部１ｂを図書類Ｂの向きに合わせてスキャナ挿入の準備を行う。そして、先端部１ｂを図書類Ｂの間に挿入していき、先端部１ｂ全体を図書類Ｂの間に入るようにする。その状態でしばらく置き、ＲＦ−ＩＤ素子の読み取りを行う。読み取りを完了したら、あるいは適当な時間経過したら先端部１ｂを引き抜く。
【００５２】
アンテナの切換は上述のスキャナの操作に対応して行われることが望ましい。以下、具体的な切換動作について図８（ａ）〜（ｃ）を参照して説明する。
【００５３】
図８（ａ）はアンテナ１１ａ，１１ｂをスキャナ１の状態と無関係に一定期間ごとに交互に選択する場合のタイミングチャートである。この場合、スキャナを挿入してからスキャナを抜き取るまでの間（図８でｔ３）、アンテナ１１ａと１１ｂの両方が選択されることが望ましい。例えば、スキャナを挿入している時間が例えば最小５秒と決められている場合あるいは平均的な挿入時間が５秒（一例である）である場合、アンテナの切換間隔は２．５秒以下（周期５秒以下）であることが望ましい。デューティー比は５０％に限らない。補助的なアンテナ１１ｂの選択時間を短くしてもよい。
【００５４】
図８（ｂ）はスキャナ１の先端部１ｂが図書類Ｂに挿入されているかどうかに基づきアンテナを切り換える場合のタイミングチャートである。先端部１ｂが挿入されているかどうかを判定するために、先端部１ｂに圧力センサ、光センサなどを設けることが考えられる。あるいは先端部１ｂの挿入を完了したときにこれを知らせるためのスイッチを設け、当該スイッチを作業者に押してもらうようにしてもよい。スキャナ挿入開始からスキャナ挿入完了までの間（図８でｔ２）、アンテナ１１ａ，１１ｂのいずれかが選択される。スキャナを挿入してからスキャナを抜き取るまでの間（図８でｔ３）、まずアンテナ１１ａが選択され、その後にアンテナ１１ｂが選択される。この切換タイミングは例えばスキャナ挿入完了を起点として定められる。
【００５５】
図８（ｃ）はアンテナ切換信号によりアンテナを切り換える場合を示す。通常はアンテナ１１ａが使用されているが、アンテナ切換信号を受けたときにアンテナ１１ｂを選択する。アンテナ切換信号は、例えば次のようなものが考えられる。なお、アンテナ切換信号は、スキャナ１の図示しないＣＰＵにより発生してもよいし、処理部２で発生してスキャナ１へ送ってもよい。
【００５６】
（１）作業者が操作するアンテナ切換スイッチをスキャナ１の本体１ｂに設けて（あるいは処理部２に設けたり、これらと別個に設けてもよい）、これから受ける。スイッチが押されてからアンテナ１１ｂが一定期間選択される。作業者は読み取りがうまくいかないとき（書籍検出処理部２の画面を見て検出作業が順調かどうかおおよその見当をつけることができる）、アンテナ切換スイッチを押すことが考えられる。
【００５７】
（２）スキャナで全部の図書類ＢのＲＦ−ＩＤを読み取れないとき、アンテナ切換信号が出力される。全部の図書類Ｂを読み取れないときは、例えば、通信しているがエラーが多いとき（これは送受信部１２あるいは書籍検出処理部２で判定することができる）、一定時間読み取り動作をしたものの読み取られた図書類Ｂの数が読み取り範囲内で予め数えた図書類Ｂの冊数よりも少ないとき（作業者が数えた冊数を入力しておけば書籍検出処理部２で自動的に判定することができる）、などである。
【００５８】
（３）アンテナ１１ａと１１ｂの受信レベルを比較し、アンテナ１１ｂの受信レベルの方が高いとき、アンテナ切換信号が出力される。例えば、スキャナ１に受信レベル測定器を設け、これがアンテナ切換信号を生成する。アンテナ１１ｂの受信レベルが予め定めたしきい値以上のときアンテナ切換信号を生成するようにしてもよい。
【００５９】
本発明の実施の形態２によれば、複数のアンテナをポータブルスキャナに複合化することにより読み取り特性を改善できる。複数のアンテナを同一筐体に納めることにより、複数のスキャンを繰り返すことなしに、固定位置で複数位置で走査した場合と同じ効果を実現する。
【００６０】
アンテナ１１ａと１１ｂの放射パターンは同じでもよいし、異ならせてもよい。例えば、アンテナ１１ｂの指向性を遮蔽板Ｓの方向に向けるようにしてもよい。ポータブルスキャナに複数の異なる特性のアンテナを実装することにより、貼付媒体の違いにより読み取り特性が異なった非接触ＩＣタグの特性を、複数のアンテナを切り換えて走査することにより読み取る。これにより読み取り特性を改善できる。
【００６１】
発明の実施の形態３．
２つ目のアンテナ１１ｂをポータブルスキャナ１の本体１ａではなく、別に設けた補助アンテナ取り付け部１ｃに設けてもよい。図９はこの例を示す。図９において、補助アンテナ取り付け部１ｃは本体１ａの右側（あるいは左側）に先端部１ｂとほぼ直交して（あるいは斜めに）取り付けられている。
【００６２】
補助アンテナ取り付け部１ｃを本体１ａの背側（手前）あるいは上下に設けてもよいし、本体１ａ上にこれと直交して（あるいは斜めに）設けてもよい。
【００６３】
発明の実施の形態４．
図１０に示すようにアンテナ切換や再読み込みの要否を判断するための表示装置１５を本体に設けたり、図１１に示すようにアンテナ切換や再読み込みの指示を表示したり電波強度などの情報を表示するＬＣＤ表示装置１６を本体に設けるようにしてもよい。表示装置１５やＬＣＤ表示装置１６は、図７や図８の複数のアンテナを備えるスキャナに設けてもよい。
【００６４】
スキャナで全部の図書類ＢのＲＦ−ＩＤを読み取れないとき、表示部１５が点灯したり、ＬＣＤ表示装置１６にその旨が表示される。さらに詳しく、通信しているがエラーが多い、一定時間読み取り動作をしたものの読み取られた図書類Ｂの数が読み取り範囲内で予め数えた図書類Ｂの冊数よりも少ないなどの情報や、さらに読み取られた書籍の情報を表示するようにしてもよい。
【００６５】
アンテナを２つ備える場合において、アンテナ１１ａと１１ｂの受信レベルを比較し、アンテナ１１ａの受信レベルが高いとき（通常の状態）表示装置１５は消灯し、アンテナ１１ｂの受信レベルの方が高いとき表示装置１５が点灯するようにしてもよい。あるいは単純にアンテナ１１ａあるいは１１ｂの受信レベルを表示するようにしてもよい。
【００６６】
表示装置１５あるいはＬＣＤ表示装置１６の表示を参照して、作業者は適当なアンテナを選択したり、スキャナの位置や向きを変えて再度読み込み処理を行うことができる。作業者は読み取りがうまくいかないとき、図示しないアンテナ切換スイッチを押してアンテナを切り換えることもできる。
【００６７】
さらに、ＬＣＤ表示装置１６に「アンテナを切り換えてください」「ポータブルスキャナの位置、左右や上下の向きを変えてください」といった指示を表示させてもよい。
【００６８】
本発明は、以上の実施の形態に限定されることなく、特許請求の範囲に記載された発明の範囲内で、種々の変更が可能であり、それらも本発明の範囲内に包含されるものであることは言うまでもない。
【００６９】
また、本明細書において、手段とは必ずしも物理的手段を意味するものではなく、各手段の機能が、ソフトウェアによって実現される場合も包含する。さらに、一つの手段の機能が、二つ以上の物理的手段により実現されても、若しくは、二つ以上の手段の機能が、一つの物理的手段により実現されてもよい。
【図面の簡単な説明】
【図１】発明の実施の形態１に係る図書類の保管管理システムの使用方法の説明図（フローチャート）である。
【図２】発明の実施の形態１に係る図書類の保管管理システムのブロック図及び遮蔽板の使用方法の説明図である。
【図３】図書類の保管管理システムのポータブルスキャナの斜視図である。
【図４】発明の実施の形態１に係る遮蔽板の斜視図及び正面図である。
【図５】発明の実施の形態１に係る図書類の保管管理システム及び遮蔽板の使用方法の説明図である。
【図６】発明の実施の形態２に係る図書類の保管管理システム及びポータブルスキャナのブロック図である。
【図７】発明の実施の形態２に係るポータブルスキャナの斜視図である。
【図８】発明の実施の形態２におけるアンテナ切換手法の説明図（タイミングチャート）である。
【図９】発明の実施の形態３に係るポータブルスキャナの斜視図である。
【図１０】発明の実施の形態４に係るポータブルスキャナの斜視図である。
【図１１】発明の実施の形態４に係る他のポータブルスキャナの斜視図である。
【図１２】従来の図書類の保管管理システム（特にポータブルスキャナ）の使用方法の説明図（斜視図）である。
【図１３】従来の図書類の保管管理システム（特にポータブルスキャナ）の使用方法の説明図（正面図）である。
【符号の説明】
１　　ポータブルスキャナ
１ａ　スキャナ本体
１ｂ　スキャナ先端部
１ｃ　補助アンテナ取り付け部
２　　書籍検出処理部（ノートパソコン）
３　　蔵書管理システムサーバ
１１　　アンテナ
１１ａ　第１のアンテナ
１１ｂ　第２のアンテナ
１２　　送受信部
１３　　表示部
１４　　アンテナ切換部
１５　　表示部
１６　　ＬＣＤ表示装置
Ｂ　　図書類
Ｓ　　遮蔽板
Ｓ１　第１の板
Ｓ２　第２の板
【図１】
2004080739.tif 000003
【図２】
2004080739.tif 000004
【図３】
2004080739.tif 000005
【図４】
2004080739.tif 000006
【図５】
2004080739.tif 000007
【図６】
2004080739.tif 000008
【図７】
2004080739.tif 000009
【図８】
2004080739.tif 000010
【図９】
2004080739.tif 000011
【図１０】
2004080739.tif 000012
【図１１】
2004080739.tif 000013
【図１２】
2004080739.tif 000014
【図１３】
2004080739.tif 000015